(57)【要約】【課題】回転電機の効率低下を抑制可能な回転電機のロータ及び回転電機を提供する。【解決手段】回転電機１１は、ステータコイル２９が設けられたステータコア２７を有する円筒状のステータ１５と、回転軸１９に支持され、周方向に沿って複数の永久磁石３５が設けられたロータコア３１、及びロータコア３１の軸方向端部にそれぞれ設けられた一対の端面板４１，４３を有し、ステータ１５の中空部に回転自在に設けられるロータ２１と、を備える。ロータコア３１には、ロータコア３１を軸方向に貫通する冷媒流通路３７が設けられている。第１端面板４１には、冷媒供給管２５を介して供給される冷媒を冷媒流通路３７へと導入する冷媒導入部４５が備わっている。【選択図】図１Ｂ
2019129576.tif 000002
【特許請求の範囲】
【請求項１】
回転軸に支持され、周方向に沿って複数の永久磁石が設けられたロータコアと、
前記ロータコアの軸方向端部にそれぞれ設けられた一対の端面板と、を備える回転電機のロータであって、
前記ロータコアには、当該ロータコアを軸方向に貫通する冷媒流通路が設けられており、
前記一対の端面板のうちいずれか一方には、供給される冷媒を前記冷媒流通路へと導入する冷媒導入部が備わっている  ことを特徴とする回転電機のロータ。
【請求項２】
請求項１に記載の回転電機のロータであって、
前記冷媒流通路は、前記ロータコアの周方向に等しい間隔を置いて複数設けられており、
前記冷媒導入部は、複数の前記冷媒流通路毎に複数設けられている  ことを特徴とする回転電機のロータ。
【請求項３】
請求項２に記載の回転電機のロータであって、
複数の前記冷媒流通路は、複数の前記永久磁石の近傍に設けられている
ことを特徴とする回転電機のロータ。
【請求項４】
請求項１〜３のいずれか一項に記載の回転電機のロータであって、
前記冷媒導入部は、供給される冷媒を導入する導入口を有し、
前記導入口は、前記回転軸の側を向いて開口している  ことを特徴とする回転電機のロータ。
【請求項５】
請求項１〜４のいずれか一項に記載の回転電機のロータであって、
前記一対の端面板のうち他方には、前記冷媒流通路を流通した冷媒を前記ロータコアの外に導出する冷媒導出部が備わっている  ことを特徴とする回転電機のロータ。
【請求項６】
請求項５に記載の回転電機のロータであって、
前記冷媒導出部は、供給される冷媒を導出する導出口を有し、
前記導出口は、前記回転軸の逆側を向いて開口している  ことを特徴とする回転電機のロータ。
【請求項７】
コイルが設けられたステータコアを有する円筒状のステータと、
回転軸に支持され、周方向に沿って複数の永久磁石が設けられたロータコア、及び前記ロータコアの軸方向端部にそれぞれ設けられた一対の端面板を有し、前記ステータの中空部に回転自在に設けられるロータと、を備える回転電機であって、
前記ロータコアには、当該ロータコアを軸方向に貫通する冷媒流通路が設けられており、
前記一対の端面板のうちいずれか一方には、冷媒供給管を介して供給される冷媒を前記冷媒流通路へと導入する冷媒導入部が備わっている
ことを特徴とする回転電機。
【請求項８】
請求項７に記載の回転電機であって、
前記一対の端面板のうち他方には、前記冷媒流通路を流通した冷媒を前記ロータコアの外に導出する冷媒導出部が備わっている
ことを特徴とする回転電機。
【請求項９】
請求項８に記載の回転電機であって、
前記冷媒導出部は、前記冷媒流通路を流通した冷媒を導出する導出口を有し、
前記導出口は、前記ステータコアに設けられたコイルの端部を向いて開口している  ことを特徴とする回転電機。
【発明の詳細な説明】
【技術分野】
【０００１】
本発明は、回転電機の効率低下を抑制可能な回転電機のロータ及び回転電機に関する。
【背景技術】
【０００２】
最近時、駆動源としての内燃機関に加えて又は代えて、回転電機を搭載した車両が普及している。ハイブリッド自動車（Hybrid Electric Vehicle）や電気自動車（Electric Vehicle）と呼ばれる車両がそれである。
【０００３】
回転電機では、回転電機の運転時に、銅損（ステータコイルの電気抵抗による損失）、鉄損（ステータコア等の磁性材料の磁気特性による損失）、機械損（摩擦等の機械的要因による損失）を含む様々な損失が生じて発熱する。こうした回転電機の発熱は、ロータに設けた永久磁石の減磁を招く等、回転電機の効率低下を引き起こす要因となる。
【０００４】
こうした回転電機の効率低下を抑制するために、本願出願人は、冷却効率の向上を企図した回転電機のロータ構造を提案している（特許文献１参照）。特許文献１には、回転軸と、回転軸に軸支され、周方向に複数の永久磁石が設けられたロータと、ロータの軸方向からロータへ冷媒を供給する冷媒供給配管とを備え、ロータは、ロータを軸方向に貫通して冷媒供給配管から吐出された冷媒が流れる孔部を有することが記載されている。
【０００５】
特許文献１に係る回転電機のロータ構造によれば、回転電機のロータの冷却効率向上を図ることができる。
【先行技術文献】
【特許文献】
【０００６】
【特許文献１】特開２０１７−１８４３４３号公報
【発明の概要】
【発明が解決しようとする課題】
【０００７】
一般に、回転電機では、回転速度が高くなるほど、永久磁石を含むロータの温度上昇を招く。ロータの温度が上昇すると、回転電機の効率低下を招く。そのため、ロータの温度上昇を抑制することを通じて、回転電機の効率低下を抑制することが強く要請されていた。
【０００８】
本発明は、前記実情に鑑みてなされたものであり、回転電機の効率低下を抑制可能な回転電機のロータ及び回転電機を提供することを目的とする。
【課題を解決するための手段】
【０００９】
前記目的を達成するために、請求項１に係る発明は、回転軸に支持され、周方向に沿って複数の永久磁石が設けられたロータコアと、前記ロータコアの軸方向両端部にそれぞれ設けられた一対の端面板と、を備える回転電機のロータであって、前記ロータコアには、当該ロータコアを軸方向に貫通する冷媒流通路が設けられており、前記一対の端面板のうちいずれか一方には、供給される冷媒を前記冷媒流通路へと導入する冷媒導入部が備わっていることを最も主要な特徴とする。
【００１０】
請求項１に係る発明によれば、一対の端面板のうちいずれか一方には、供給される冷媒を、ロータコアを軸方向に貫通する冷媒流通路へと導入する冷媒導入部が備わっているため、ロータコアの冷却効率を向上することができる。その結果、回転電機の効率低下を抑制することができる。
【発明の効果】
【００１１】
本発明によれば、回転電機の効率低下を抑制することができる。
【図面の簡単な説明】
【００１２】
【図１Ａ】本発明の実施形態に係る回転電機の全体構成を表す縦断面図である。
【図１Ｂ】図１Ａに示す回転電機のロータ周辺を拡大して表す図である。
【図２】本発明の実施形態に係る回転電機のロータに備わるロータコアの正面図である。
【図３Ａ】本発明の実施形態に係る回転電機のロータに備わる一対の端面板のうち、冷媒導入部を有する端面板の正面図である。
【図３Ｂ】図３Ａに示す端面板に設けられる冷媒導入部を概念的に表す斜視図である。
【図４Ａ】本発明の実施形態に係る回転電機のロータに備わる一対の端面板のうち、冷媒導出部を有する端面板の正面図である。
【図４Ｂ】図４Ａに示す端面板に設けられる冷媒導出部を概念的に表す斜視図である。
【発明を実施するための形態】
【００１３】
以下、本発明の実施形態に係る回転電機のロータ及び回転電機について、適宜の図面を参照して詳細に説明する。
なお、以下に示す図面において、同一の部材又は対応する部材間には同一の参照符号を付するものとする。また、部材のサイズ及び形状は、説明の便宜のため、変形または誇張して模式的に表す場合がある。
【００１４】
〔本発明の実施形態に係る回転電機１１の構成〕
はじめに、本発明の実施形態に係る回転電機１１について、図１Ａ，図１Ｂを参照して詳細に説明する。
図１Ａは、本発明の実施形態に係る回転電機１１の全体構成を表す縦断面図である。図１Ｂは、図１Ａに示す回転電機１１のロータ２１周辺を拡大して表す図である。
【００１５】
本発明の実施形態に係る回転電機１１は、図１Ａ，図１Ｂに示すように、円筒状の筐体１３に設けられたステータ１５と、筐体１３の側壁１３ａ，１３ｂにそれぞれ設けられた一対の軸受１７ａ，１７ｂを介して軸支される回転軸１９と、回転軸１９に設けられたロータ２１と、冷媒供給装置２３と、を備えて構成されている。
【００１６】
ステータ１５は、円筒状の外周面を円筒状の筐体１３の内周面に取り付けることで筐体１３に設けられている。ステータ１５は、ステータコア２７と、ステータコア２７に設けられたステータコイル２９とを有して構成されている。
【００１７】
ステータコア２７は、図１Ａ，図１Ｂに示すように、全体として円筒状に形成されている。ステータコア２７は、例えば、円環状に形成された複数の電磁鋼鈑２７ａを軸方向に積層して構成されている。ステータコア２７に備わる複数のスロット（不図示）の各々には、ステータコイル２９が設けられている。
回転電機１１では、ステータコイル２９にモータ電流を流すと、ステータ１５に回転磁界が発生する。こうしてステータ１５に発生した回転磁界と、ロータ２１に設けた後記の永久磁石３５による磁界とが相互作用することによってロータ２１が回転駆動される。
【００１８】
〔本発明の実施形態に係る回転電機１１のロータ２１の構成〕
次に、本発明の実施形態に係る回転電機１１のロータ２１の構成について、図２，図３Ａ，図３Ｂ，図４を参照して説明する。
図２は、本発明の実施形態に係る回転電機１１のロータ２１に備わるロータコア３１の正面図である。図３Ａは、回転電機１１のロータ２１に備わる一対の端面板のうち、冷媒導入部４５を有する端面板の正面図である。図３Ｂは、図３Ａに示す端面板に設けられる冷媒導入部４５を概念的に表す斜視図である。図４Ａは、回転電機１１のロータ２１に備わる一対の端面板のうち、冷媒導出部４７を有する端面板の正面図である。図４Ｂは、図４Ａに示す端面板に設けられる冷媒導出部４７を概念的に表す斜視図である。
【００１９】
本発明の実施形態に係る回転電機１１のロータ２１は、図１Ａ，図１Ｂに示すように、ステータ１５の内周側に存する中空部に、僅かな隙間Ｇ（図１Ｂ参照）を介して回転自在に設けられている。ロータ２１は、ロータコア３１と、一対の端面板（第１端面板４１及び第２端面板４３）と、を有する。
【００２０】
ロータコア３１は、図１Ａ，図１Ｂに示すように、全体として円筒状に形成されている。ロータコア３１は、図２に示すように、例えば、円環状に形成された複数の電磁鋼鈑３１ａを軸方向に積層して構成されている。
【００２１】
ロータコア３１には、図１Ａ，図１Ｂ，及び図２に示すように、軸方向（図１Ａ，図１Ｂ参照）に貫通する複数組の磁石挿入孔３３が、周方向（図２参照）に等しい間隔を置いて設けられている。一組の磁石挿入孔３３の横断面は、特に限定されないが、ロータコア３１の径方向（図２参照）外側に向かって開く略Ｖ字状に形成されている。
【００２２】
一組の磁石挿入孔３３は、３つの通孔を組み合わせて構成されている。一組の磁石挿入孔３３には、図１Ａ，図１Ｂ，及び図２に示すように、棒状の永久磁石３５が挿入され、不図示の充填材によって固定される。永久磁石３５の長さは、ロータコア３１の軸方向（図１Ａ，図１Ｂ参照）全長と同等の長さに設定されている。
【００２３】
また、ロータコア３１には、図１Ａ，図１Ｂ，及び図２に示すように、軸方向（図１Ａ，図１Ｂ参照）に貫通する複数の冷媒流通路３７が、周方向（図２参照）に等しい間隔を置いて、磁石挿入孔３３の組数と同じ数だけ設けられている。冷媒流通路３７は、磁石挿入孔３３に対してロータコア３１の径方向（図２参照）内側に、磁石挿入孔３３（永久磁石３５）に近接して設けられている。
【００２４】
冷媒流通路３７の横断面は、ロータコア３１の径方向（図２参照）外側に頂部を向けた略三角形状に形成されている。冷媒流通路３７の横断面に存する３つの頂部には面取り加工が施されている。
【００２５】
ロータコア３１の軸方向（図１Ａ，図１Ｂ参照）端部には、一対の端面板として、円環状の第１端面板４１及び第２端面板４３がそれぞれ設けられている。第１端面板４１及び第２端面板４３は、例えば、非磁性ステンレス鋼（SUS305）、アルミニウム等の非磁性金属材料によって形成されている。
【００２６】
第１端面板４１には、図１Ａ，図１Ｂ，図３Ａに示すように、冷媒供給装置２３の冷媒供給管２５を介して供給される冷媒（例えば、絶縁油等）を冷媒流通路３７へと導入する冷媒導入部４５が備わっている。
【００２７】
ここで、冷媒供給装置２３について説明する。冷媒供給装置２３は、図１Ａ，図１Ｂに示すように、冷媒を不図示のポンプにより圧送して吐出する冷媒吐出部（不図示）と、冷媒供給管２５と、を備えて構成されている。冷媒供給管２５を介して供給される冷媒は、ロータコア３１の軸方向（図１Ｂ参照）に向けて吐出されるようになっている。
【００２８】
冷媒導入部４５は、図１Ｂ，図３Ｂに示すように、第１端面板４１の一般面４１ａに対して突出するように形成されている。冷媒導入部４５は、図３Ａ，図３Ｂに示すように、冷媒供給管２５を介して供給される冷媒を導入する導入口４５ａと、導入口４５ａを介して導入した冷媒を冷媒流通路３７へと誘導する誘導部４５ｂと、を有する。
冷媒導入部４５は、特に限定されないが、例えば、円環状に形成された第１端面板４１となる非磁性金属材料に対し、周方向にわたる所要の位置にパンチプレス加工を施すことで作成すればよい。
【００２９】
冷媒導入部４５の導入口４５ａは、図１Ａ，図１Ｂ，図３Ａ，図３Ｂに示すように、第１端面板４１の一般面４１ａに対して突出する（図３Ｂ参照）と共に、冷媒導入部４５に対してロータコア３１の径方向（図１Ｂ参照）内側、つまり回転軸１９の側に配置された冷媒供給管２５の冷媒吐出口２５ａの方を向いて開口している。
【００３０】
冷媒導入部４５の導入口４５ａに係る周方向の寸法Ｌ１は、図３Ｂに示すように、冷媒流通路３７に係る周方向の寸法Ｌ２に対して同等又は大きく設定されている。これにより、冷媒導入部４５の導入口４５ａを介して冷媒流通路３７へと誘導される冷媒の流れを円滑に行わせることができる。
なお、導入口４５ａに係る周方向の寸法Ｌ１を可変調整すると、隣接する冷媒導入部４５同士の間隔Ｌ３（図３Ａ参照）も変化する。
これは、導入口４５ａに係る周方向の寸法Ｌ１を可変調整すれば、冷媒流通路３７へと導入されずに第１端面板４１の周辺領域を冷却するように作用する冷媒と、冷媒流通路３７へと導入されて永久磁石３５を含むロータコア３１を冷却するように作用する冷媒と、の分配比を適宜調整可能であることを意味する。
【００３１】
冷媒導入部４５の誘導部４５ｂは、図１Ａ，図１Ｂ，図３Ａ，図３Ｂに示すように、第１端面板４１の一般面４１ａに対して突出する（図１Ｂ，図３Ｂ参照）突出外壁部４５ｃの内方に存する閉空間として形成されている。冷媒導入部４５の誘導部４５ｂは、導入口４５ａを介して導入された冷媒の流通方向を、ロータコア３１の径方向から軸方向（図１Ｂ参照）へと略直角に曲げて冷媒流通路３７へと誘導する役割を果たす。
【００３２】
一方、第２端面板４３には、図１Ａ，図１Ｂ，図４Ａに示すように、冷媒流通路３７を流通した冷媒をロータコア３１の外に導出する冷媒導出部４７が備わっている。冷媒導出部４７は、冷媒導入部４５と同様に、図１Ｂ，図４Ｂに示すように、第２端面板４３の一般面４３ａに対して突出するように形成されている。
【００３３】
冷媒導出部４７は、図４Ａ，図４Ｂに示すように、冷媒流通路３７を流通した冷媒をロータコア３１の外に導出する導出口４７ａと、冷媒流通路３７を流通してきた冷媒を導出口４７ａへと誘導する誘導部４７ｂと、を有する。
【００３４】
冷媒導出部４７の誘導部４７ｂは、図１Ａ，図１Ｂ，図４Ａ，図４Ｂに示すように、第２端面板４３の一般面４３ａに対して突出する（図４Ｂ参照）突出外壁部４７ｃの内方に存する閉空間として形成されている。冷媒導出部４７の誘導部４７ｂは、冷媒流通路３７を流通してきた冷媒の流通方向を、ロータコア３１の軸方向から径方向（図１Ｂ参照）へと略直角に曲げて導出口４７ａへと誘導する役割を果たす。
【００３５】
冷媒導出部４７の導出口４７ａは、図１Ａ，図１Ｂ，図４Ａ，図４Ｂに示すように、第２端面板４３の一般面４３ａに対して突出する（図１Ｂ，図４Ｂ参照）と共に、冷媒導出部４７に対してロータコア３１の径方向（図１Ｂ参照）外側、つまりステータコイル２９の端部に存する渡り部の方を向いて開口している。なお、渡り部とは、同相のステータコイル２９同士を接続する部分である。
【００３６】
〔本発明の実施形態に係る回転電機１１のロータ２１の作用〕
次に、本発明の実施形態に係る回転電機１１のロータ２１の作用について説明する。
ステータコイル２９にモータ電流を流すと、ステータ１５に回転磁界が発生する。こうしてステータ１５に発生した回転磁界と、ロータ２１に設けた永久磁石３５による磁界とが相互作用することによってロータ２１が回転駆動される。
【００３７】
回転電機１１の運転時において、回転電機１１の効率を損なう損失分は熱となって、回転電機１１の温度を上昇させる。特に、ロータ２１に備わる永久磁石３５の温度上昇は、永久磁石３５の磁力を低下させ、回転電機１１の効率低下を引き起こす要因となる。そのため、永久磁石３５を含むロータ２１を効率よく冷却することで、ロータ２１の温度上昇を抑制することが重要である。
【００３８】
この点、本発明の第１の観点に基づく回転電機１１のロータ２１では、ロータコア３１には、ロータコア３１を軸方向に貫通する冷媒流通路３７が設けられており、一対の端面板のうちいずれか一方（第１端面板４１）には、供給される冷媒を冷媒流通路３７へと導入する冷媒導入部４５が備わっているため、ロータコア３１の冷却効率を向上することができる。その結果、回転電機１１の効率低下を抑制することができる。
【００３９】
しかも、本発明の第１の観点に基づく回転電機１１のロータ２１では、一対の端面板のうちいずれか一方（第１端面板４１）に設けた冷媒導入部４５を介して冷媒流通路３７へと冷媒を導入する（図１Ｂの矢印で示す冷媒の流れ参照）ため、回転軸に設けた冷媒流通路を介して端面板の側面へと冷媒を適用する従来の冷却技術（例えば特開平９−１８２３７５号公報参照）と比べて、比較的簡素な構成（回転軸に冷媒流通路を設けていない）をもって、回転軸の局所（回転軸のうち冷媒流通路の設定箇所）に応力集中が生じる事態を未然に回避しながら、回転電機１１の効率低下を抑制することができる。
【００４０】
また、本発明の第２の観点に基づく回転電機１１のロータ２１では、冷媒流通路３７は、ロータコア３１の周方向に等しい間隔を置いて複数設けられており、冷媒導入部４５は、複数の冷媒流通路３７毎に複数設けられているため、第１の観点に基づく回転電機１１のロータ２１と比べて、ロータコア３１の温度を比較的低温に均一化して、ロータコア３１の冷却効率を一層高めることができる。その結果、永久磁石３５の減磁を抑制して、回転電機１１の効率低下を抑制することができる。
【００４１】
また、本発明の第３の観点に基づく回転電機１１のロータ２１では、複数の冷媒流通路３７は、複数の永久磁石３５の近傍に設けられているため、第１及び第２の観点に基づく回転電機１１のロータ２１と比べて、複数の永久磁石３５の温度を比較的低温に均一化して、ロータコア３１の冷却効率を一層高めることができる。その結果、永久磁石３５の減磁を抑制して、回転電機１１の効率低下を抑制することができる。
【００４２】
また、本発明の第４の観点に基づく回転電機１１のロータ２１では、冷媒導入部４５は、冷媒導入部４５に対して前記回転軸１９の側から供給される冷媒を導入する導入口４５ａを有し、導入口４５ａは、回転軸１９の側を向いて開口しているため、回転電機１１の運転時において、導入口４５ａを介して導入された冷媒には遠心力が作用する。
【００４３】
そのため、回転電機１１の運転時において、導入口４５ａを介して導入された冷媒の、冷媒流通路３７への誘導が促進される。導入口４５ａを介して導入された冷媒は、冷媒流通路３７内で滞ることがない。つまり、冷媒流通路３７内には、常に新しい冷媒が供給されるため、ロータコアの冷却効率を一層高めることができる。
【００４４】
また、回転電機１１の回転速度が高まるほど、導入口４５ａを介して導入された冷媒に作用する遠心力も大きくなる。すなわち、遠心力による冷媒の誘導促進効果は、回転電機１１の回転速度が高まるほど大きくなる。
したがって、本発明の第４の観点に基づく回転電機１１のロータ２１によれば、回転電機１１の回転速度の高低に応じて、ロータ２１の冷却効率を可変設定する効果を期待することもできる。
【００４５】
また、本発明の第５の観点に基づく回転電機１１のロータ２１では、一対の端面板のうち他方（第２端面板４３）には、冷媒流通路３７を流通した冷媒をロータコア３１の外に導出する冷媒導出部４７が備わっているため、冷媒を迅速に排出して冷媒流通路３７での冷媒の流通を促進することで、ロータコア３１の冷却効率を高めることができる。その結果、回転電機１１の効率低下を抑制することができる。  
【００４６】
また、本発明の第６の観点に基づく回転電機１１のロータ２１では、冷媒導出部４７は、冷媒流通路３７を流通した冷媒を導出する導出口４７ａを有し、導出口４７ａは、回転軸１９の逆側を向いて開口しているため、第２端面板４３のうち冷媒導出部４７の近傍であって回転軸１９の逆側付近を効果的に冷却することができる。その結果、回転電機１１の効率低下を抑制することができる。
【００４７】
一方、本発明の第７の観点に基づく回転電機１１では、ロータコア３１には、ロータコア３１を軸方向に貫通する冷媒流通路３７が設けられており、一対の端面板のうちいずれか一方（第１端面板４１）には、冷媒供給管２５を介して供給される冷媒を冷媒流通路３７へと導入する冷媒導入部４５が備わっているため、ロータコア３１の冷却効率を向上することができる。その結果、永久磁石３５の減磁を抑制可能な、優れた効率を呈する回転電機１１を得ることができる。
【００４８】
また、本発明の第８の観点に基づく回転電機１１では、一対の端面板のうち他方（第２端面板４３）には、冷媒流通路３７を流通した冷媒をロータコア３１の外に導出する冷媒導出部４７が備わっているため、冷媒を迅速に排出して冷媒流通路３７での冷媒の流通を促進することで、ロータコア３１の冷却効率を高めることができる。その結果、優れた効率を呈する回転電機１１を得ることができる。
【００４９】
また、本発明の第９の観点に基づく回転電機１１では、冷媒導出部４７は、冷媒流通路３７を流通した冷媒を導出する導出口４７ａを有し、導出口４７ａは、ステータコア２７に設けられたステータコイル２９の端部を向いて開口しているため、ステータコイル２９の端部に存する渡り部の付近を効果的に冷却することができる。その結果、優れた効率を呈する回転電機１１を得ることができる。
【００５０】
〔その他の実施形態〕
以上説明した複数の実施形態は、本発明の具現化の例を示したものである。したがって、これらによって本発明の技術的範囲が限定的に解釈されることがあってはならない。本発明はその要旨またはその主要な特徴から逸脱することなく、様々な形態で実施することができるからである。
【００５１】
例えば、本発明の実施形態に係る発明の説明において、導入口４５ａに係る周方向の寸法Ｌ１を可変調整することにより、冷媒流通路３７へと導入されずに第１端面板４１の周辺領域を冷却するように作用する冷媒と、冷媒流通路３７へと導入されて永久磁石３５を含むロータコア３１を冷却するように作用する冷媒と、の分配比を可変調整する例をあげて説明したが、本発明はこの例に限定されない。
【００５２】
冷媒導入部４５に係る冷媒の流通抵抗と、冷媒導出部４７に係る冷媒の流通抵抗とを可変調整することにより、冷媒流通路３７へと導入されずに第１端面板４１の周辺領域を冷却するように作用する冷媒と、冷媒流通路３７へと導入されて永久磁石３５を含むロータコア３１を冷却するように作用する冷媒と、の分配比を可変調整する態様を採用しても構わない。
【００５３】
また、本発明の実施形態に係る発明の説明において、ロータコア３１の周方向にわたり、相互に等しい間隔を置いて、８組の磁石挿入孔３３及び永久磁石３５、８つの冷媒流通路３７、並びに、８つの冷媒導入部４５及び冷媒導出部４７を設ける例をあげて説明したが、本発明はこの例に限定されない。磁石挿入孔３３及び永久磁石３５の組数、冷媒流通路３７、並びに、冷媒導入部４５及び冷媒導出部４７の数は、８を含む任意の数量を採用しても構わない。
【００５４】
また、本発明の実施形態に係る発明の説明において、第２端面板４３の一般面４３ａに対して突出するように冷媒導出部４７を形成する例をあげて説明したが、本発明はこの例に限定されない。第２端面板４３の内側面に対し、径方向に延びる冷媒の排出溝を刻設することにより、第２端面板４３に対して冷媒導出部４７を形成する態様を採用しても構わない。
【符号の説明】
【００５５】
１１    実施形態に係る回転電機
１５    ステータ
１９    回転軸
２１    ロータ
２５    冷媒供給管
２７    ステータコア
２９    ステータコイル（コイル）
３１    ロータコア
３５    永久磁石
３７    冷媒流通路
４１    第１端面板（一対の端面板のうちいずれか一方）
４３    第２端面板（一対の端面板のうち他方）
４５    冷媒導入部
４５ａ  導入口
４７    冷媒導出部
４７ａ  導出口
【図１Ａ】
2019129576.tif 000003
【図１Ｂ】
2019129576.tif 000004
【図２】
2019129576.tif 000005
【図３Ａ】
2019129576.tif 000006
【図３Ｂ】
2019129576.tif 000007
【図４Ａ】
2019129576.tif 000008
【図４Ｂ】
2019129576.tif 000009